(57)【要約】【課題】ベルとしての機能も有するフレグランス容器の提供を目的とする。【解決手段】揺動可能な転動部と、前記転動部に連結した本体部とを備え、前記転動部には転動子を載置してあり、前記本体部は前記転動子が当たり音が鳴る振動部と、フレグランスを入れるための収容部とを有することを特徴とする。【選択図】  図１
2020092965.tif 000002
【特許請求の範囲】
【請求項１】
揺動可能な転動部と、前記転動部に連結した本体部とを備え、
前記転動部には転動子を載置してあり、
前記本体部は前記転動子が当たり音が鳴る振動部と、フレグランスを入れるための収容部とを有することを特徴とするベル型フレグランス容器。
【請求項２】
前記本体部は、前記転動部から立設した支持部に連結してあるとともに、上部側に前記収容部を配置し、下側に前記振動部を有することを特徴とする請求項１記載のベル型フレグランス容器。
【請求項３】
揺動可能な揺動部と、前記揺動部に連結した本体部とを備え、
前記本体部はフレグランスを入れるための収容部と、前記本体部の内側に吊り下げた打鈴子を有し、
前記揺動部が揺れると前記打鈴子が前記本体部の内側に当たり音が鳴るものであることを特徴とするベル型フレグランス容器。
【請求項４】
前記収容部は、リードディフューザーの差込み部を有することを特徴とする請求項１又は３記載のベル型フレグランス容器。
【発明の詳細な説明】
【技術分野】
【０００１】
本発明は、各種芳香を楽しむためのフレグランス容器に関し、特に揺らすと音が鳴るベルとしての機能を有するフレグランス容器に係る。
【背景技術】
【０００２】
生活空間、職場空間や店舗空間にフレグランス容器を置くことで、各種香りによるリラックス効果、集中効果、殺菌効果等が期待されている。
この場合に芳香の広がりを促進するのに木や造花等のリードディフューザーをフレグランス容器に差し込んで使用する場合がある。
本出願人は、先にフレグランス容器を指先等にて軽く揺らすことができるフレグランス容器載置台を提案している（特許文献１）。
本発明は、指先等で軽く触れることで香りのみならず音を楽しむことができるようにしたものである。
【先行技術文献】
【特許文献】
【０００３】
【特許文献１】特許第６３９５２７７号公報
【発明の概要】
【発明が解決しようとする課題】
【０００４】
本発明は、ベルとしての機能も有するフレグランス容器の提供を目的とする。
【課題を解決するための手段】
【０００５】
本発明に係るベル型フレグランス容器は、揺動可能な転動部と、前記転動部に連結した本体部とを備え、前記転動部には転動子を載置してあり、前記本体部は前記転動子が当たり音が鳴る振動部と、フレグランスを入れるための収容部とを有することを特徴とする。
また、本発明に係るベル型フレグランス容器は、揺動可能な揺動部と、前記揺動部に連結した本体部とを備え、前記本体部はフレグランスを入れるための収容部と、前記本体部の内側に吊り下げた打鈴子を有し、前記揺動部が揺れると前記打鈴子が前記本体部の内側に当たり音が鳴るものであることを特徴とする。
ここで、フレグランスを入れるための収容器には各種リードディフューザーを差し込むことができる差込み部を有するのが好ましい。
【０００６】
本発明において揺動可能な転動部又は揺動部とは、例えば底面が凸面に形成されていて、左右前後に揺れるものや、シーソーや、やじろべいのように支点を介して左右に揺れるもの等、指先等で軽く触れることで揺れるものをいう。
また、転動部が揺れると、この転動部に載置した転動子が転がり、振動部に当たり音が鳴る。
転動子は転がりやすいように略球形状が好ましいが、転動部が揺れることで転がるものであれば、その形状に制限はない。
本体部の内側に吊り下げられた打鈴子の場合には、揺動部が揺動することで打鈴子が左右に揺れ、本体部に当たり音がなる。
【０００７】
本発明において、本体部は転動子又は打鈴子が当たり、振動音や共鳴音が鳴る振動部と、香料を入れるための収容部を有するものであれば構造に制限がない。
例えば、前記本体部は、前記転動部から立設した支持部に連結してあるとともに、上部側に前記収容部を配置し、下側に前記振動部を有するものであってもよい。
【発明の効果】
【０００８】
本発明においては、香料の揮散を促進するのにフレグランス容器を軽く揺らすと音が鳴り、楽しむことができ、また逆に呼び鈴等、ベルとして音を鳴らすと香りも発散されるので、これまでにない新規のフレグランス容器となる。
【図面の簡単な説明】
【０００９】
【図１】本発明に係るベル型フレグランス容器の構造例を示す。（ａ）は平面図、（ｂ）は部分断面図、（ｃ）はスティック型のリードディフェーザーを差し込んだ状態を示す。
【図２】（ａ）はベル型のフレグランス容器を指先で軽く揺らした状態を示し、（ｂ）は香料を注入する状態を示す。
【図３】（ａ）〜（ｄ）はデザイン化された本体部とリードディフューザーの例を示す。
【図４】支持部に転動子が当たり音が鳴る例を示す。
【図５】本体部の内側に打鈴子を吊り下げた例を示す。
【発明を実施するための形態】
【００１０】
本発明に係るベル型フレグランス容器の例を以下、図に基づいて説明するが、本発明はこれに限定されない。
【００１１】
ベル型フレグランス容器は、転動部１１とこの転動部１１に連結した本体部１２を有し、この本体部１２の上側に香料の収容部１２ｂを有し、その下側に転動子１３を収容するための収納部１２ｅを有する。
本実施例では、この収納部１２ｅが転動部１１の上面に設けた転動面１１ｄの周囲を囲むように形成してあり、周囲の内部に転動子が転がり、当たると音が鳴る振動部１２ａとなっている。
本実施例では、本体部１２が下側に開口部を有する略ひょうたん型の形状にデザイン化してあり、図３（ａ）〜（ｄ）に例を示すように、いろいろな動物を表現してある。
【００１２】
また、本体部１２は断面図を図１（ｂ）に示すように香料の収容部１２ｂを形成するために下側の転動子１３の収納部１２ｅの部分と仕切るための仕切部を兼ねた連結部１２ｄを有し、この連結部１２ｄを転動部１１から立設した支持部１１ｂに連結してある。
本発明において、本体部１２は香料の収容部と、転動子１３が転がることで当たり、音が鳴る振動部１２ａを有するものであれば、この構造に制限はない。
【００１３】
本実施例は、転動部１１から立設した支柱状の支持部１１ｂにプレート状の連結部１２ｄを用いて本体部１２を、この転動部１１に連結するとともに、転動部１１の転動面１１ｄと、本体部１２の振動部１２ａの下端部との間に所定の隙間１１ｃを形成したので、振動部が共鳴し、余韻のある打鈴音が鳴るようになっている。
【００１４】
本体部１２は、内部をプレート状の連結部１２ｄで仕切ることで香料の収容部１２ｄとなっていて、上部にリードディフェーザー１を差し込むための差込み部１２ｃを有する。
図１（ｃ）はスティック型のリードディフェーザー１を収容部１２ｄに差し込み、立設した例になっているが、図３に示すように各種デザイン化されたリードディフェーザーであってもいい。
図３は本体部１２の正面に描いた各動物の顔に合せて、（ａ）は角の形状、（ｂ）は羽毛の形状、（ｃ）はかさ、（ｄ）はちょうちん型の例になっている。
リードディフューザーは香料を毛細管現象により吸い上げ、拡散を促進するものであれば、材質、構造に制限がない。
本体部１２の収容部１２ｂには、図２（ｂ）に示すようにリードディフューザーの差込み部１２ｃとして設けた注入孔に各種アロマオイル等の精油４を容器３から注入することができる。
本発明に注入する香料に制限はない。
例えば、リラックス効果があるとされるラベンダー、サンタルウッド、集中力を高める効果があるとされるレモン、グレープフルーツ等の柑橘系が例として挙げられる。
【００１５】
本実施例は、図１に示すように転動部１１の底面１１ａを略球面からなる凸面形状になっていて、重心が底部側に設けることで図２（ａ）に示すように指先２にて軽く触れるだけで揺動する。
【００１６】
本発明において、振動部１２ａは転動部１１が揺れた際に、転動面１１ｄに沿って転がった転動子１３が当たり音が鳴るものであれば、その構造に制限はない。
図１に示した実施例は、本体部１２の下側に設けたスカート状の振動片に球体からなる転動子１３が当たることで本体部１２が共鳴する。
図４に示した実施例は、複数のシャフト状の支持部１１ｂを設けることで、その支持部１１ｂの間に転動子１３が転がる際に、この転動子１３が支持部１１ｂに当たることで音が鳴る例になっている。
また、本実施例は本体部１２の上部に動物の耳部１２ｆ等を表現した例になっているように、本体部１２の形状をいろいろな形状にデザイン化してもよい。
本体部１２は音が鳴る材料であれば材質に制限がないが、音が鳴りやすい材料としては金属製が好ましい。
【００１７】
図５には、転動子１３の替わりに本体部１２の内側に仕切部１２ｇを設けることで、その上側にフレグランスの収容部１２ｂを形成するとともに、この仕切部１２ｇからひも１４ａ等にて打鈴子１４を吊り下げた例を示す。
この場合には、先の転動部１１が揺動部１１１となる。
揺動部１１１と本体部１２とは、例えば連結部１２ｆで連結してある。
なお、何らかの方法で揺動部と本体部とを連結してあれば、その構造に制限はない。
また、打鈴子１４が揺れて音が鳴るものであれば、その構造にも制限がない。
これにより、揺動部１１１が揺れると、打鈴子１４が左右，前後に振れ、本体部１２に当たり音がなる。
【符号の説明】
【００１８】
１        リードディフューザー
１１      転動部
１１ｂ    支持部
１２      本体部
１２ａ    振動部
１２ｂ    収容部
１２ｃ    差込み部
１２ｄ    連結部
１２ｅ    収納部
１３      転動子
１４      打鈴子
【図１】
2020092965.tif 000003
【図２】
2020092965.tif 000004
【図３】
2020092965.tif 000005
【図４】
2020092965.tif 000006
【図５】
2020092965.tif 000007